(57)【要約】【課題】本発明は、吸収性物品の使用者が、使用前の個包装体の状態から吸収性物品の所定の機能を認識しやすい、吸収性物品の個包装体を提供するものである。【解決手段】本発明の吸収性物品（１）の個包装体（１０）は、厚さ方向に相対する第１表面（Ｓ１）および第２表面（Ｓ２）を有し、  前記吸収性物品（１）は、展開した状態において、前記第１表面（Ｓ１）と厚さ方向に対応する第１表面対応部分に所定の機能剤を含み、  前記第１表面（Ｓ１）は、少なくとも部分的に前記機能剤の機能に対応した色を呈する。【選択図】図１
2020141874.tif 000002
【特許請求の範囲】
【請求項１】
吸収性物品が折り畳まれてなる、吸収性物品の個包装体であって、
前記個包装体は、厚さ方向に相対する第１表面および第２表面を有し、
前記吸収性物品は、折り畳まれた状態において前記第１表面と前記厚さ方向に対応する第１表面対応部分に所定の機能剤を含み、
前記第１表面は、少なくとも部分的に前記機能剤の機能に対応した色を呈する、前記個包装体。
【請求項２】
前記吸収性物品は、前記第１表面対応部分の肌対向面および非肌対向面の各々が、少なくとも部分的に前記機能剤の機能に対応した色を呈する、請求項１に記載の個包装体。
【請求項３】
前記吸収性物品は、展開した状態の肌対向面において、前記吸収性物品が折り畳まれる際に形成される折り目を有し、
前記折り目を境にしてその両側に、前記機能剤の機能に対応した色を呈する領域と、その他の色を呈する領域と、を有する、請求項２に記載の個包装体。
【請求項４】
前記機能剤の機能に対応した色を呈する領域は、前記その他の色を呈する領域の平面視面積よりも大きい平面視面積を有する、請求項３に記載の個包装体。
【請求項５】
前記吸収性物品は、展開した状態において、前記第１表面対応部分の厚みと、前記第１表面対応部分に隣接する部分の厚みとが異なる、請求項２〜４のいずれか一項に記載の個包装体。
【請求項６】
前記個包装体は、折り畳まれた前記吸収性物品を包む包装材と、
前記包装材の外表面において前記包装材の端部とその他の部分とに跨って配置される、個包装状態を維持するためのリードテープと、を有し、
前記包装材は、光線透過率が４５％以上であり、
前記リードテープは、前記包装材の外表面のうち、前記第１表面と前記厚さ方向に対応する部分に配置されている、請求項１〜５のいずれか一項に記載の個包装体。
【請求項７】
前記吸収性物品は、非肌対向面に着衣固定用の粘着部を有し、
前記個包装体は、前記粘着部を介して前記吸収性物品に貼付され、折り畳まれた前記吸収性物品を包む包装材を有しており、
前記包装材は、光線透過率が４５％以上であり、かつ、前記吸収性物品と対向する表面に離型処理領域を有する、請求項１〜６のいずれか一項に記載の個包装体。
【発明の詳細な説明】
【技術分野】
【０００１】
本発明は、生理用ナプキン等の吸収性物品に関する。
【背景技術】
【０００２】
近年、生理用ナプキン等の吸収性物品においては、吸収性能や良好な着用感などの基本的機能に加えて所定の付加的機能を有する吸収性物品が種々検討されている。
【０００３】
例えば、特許文献１には、身体に面する表面、第１末端部領域および第２末端部領域を有する婦人衛生物品であって、前記身体に面する表面から目視できる少なくとも１つの機能強化標識を含み、前記機能強化標識が、前記婦人衛生物品の少なくとも１つの機能強化された部分に対応する、婦人衛生物品が開示されている。
【先行技術文献】
【特許文献】
【０００４】
【特許文献１】特表２００８−５２２６７１号公報
【発明の概要】
【発明が解決しようとする課題】
【０００５】
しかしながら、この特許文献１に開示された婦人衛生物品のように、吸収性物品が、身体に面する表面から目視できる機能強化標識を含んでいても、使用前の状態、すなわち吸収性物品が折り畳まれた個包装体の状態においては、上記標識を視認しにくく、使用者が吸収性物品の所定の機能を認識しないまま使用するおそれがあった。
このように使用者が上記所定の機能を認識しないまま使用してしまうと、当該所定の機能が的確に発揮されず、所期の効果が得られにくくなる場合がある。
【０００６】
そこで、本発明は、吸収性物品の使用者が、使用前の個包装体の状態から吸収性物品の所定の機能を認識しやすい、吸収性物品の個包装体を提供することを目的とする。
【課題を解決するための手段】
【０００７】
本発明の一態様（態様１）は、吸収性物品が折り畳まれてなる、吸収性物品の個包装体であって、
前記個包装体は、厚さ方向に相対する第１表面および第２表面を有し、
前記吸収性物品は、折り畳まれた状態において前記第１表面と前記厚さ方向に対応する第１表面対応部分に所定の機能剤を含み、
前記第１表面は、少なくとも部分的に前記機能剤の機能に対応した色を呈する、前記個包装体。
【０００８】
本態様１の個包装体は、上記機能剤を含む部分と厚さ方向に対応する第１表面が、少なくとも部分的に機能剤の機能に対応した色を呈しているため、使用前の個包装体の状態であっても、使用者が、上記色を視認することにより吸収性物品の所定の機能を認識しやすくなっている。
したがって、本態様１の個包装体は、使用者が上記機能を考慮して吸収性物品を的確に装着することができるため、上記機能による吸収性物品の所期の効果を着実に発揮させることができる。
【０００９】
また、本発明の別の態様（態様２）では、上記態様１の個包装体において、前記吸収性物品は、前記第１表面対応部分の肌対向面および非肌対向面の各々が、少なくとも部分的に前記機能剤の機能に対応した色を呈する。
本態様の個包装体は、吸収性物品が個包装体の第１表面対応部分の肌対向面および非肌対向面の各々において、少なくとも部分的に前記機能剤の機能に対応した色を呈しているため、使用者が、使用前の個包装体の状態だけでなく、個包装体を開封する際（すなわち、折り畳まれた吸収性物品を展開する際）にも、上記色を視認することにより吸収性物品の所定の機能を認識しやすくなっている。
【００１０】
本発明の更に別の態様（態様３）では、上記態様２の個包装体において、
前記吸収性物品は、展開した状態の肌対向面において、前記吸収性物品が折り畳まれる際に形成される折り目を有し、
前記折り目を境にしてその両側に、前記機能剤の機能に対応した色を呈する領域と、その他の色を呈する領域と、を有する。
本態様の個包装体は、吸収性物品が折り目を境にして機能剤の機能に対応した色を呈する領域と、その他の色を呈する領域とを有していて、これら各領域の境界が折り目によって視認しやすくなっているため、使用者が、折り畳まれた吸収性物品を展開したときに、上記機能剤の機能に対応した色をより明確に認識することができる。
【００１１】
本発明の更に別の態様（態様４）では、上記態様３の個包装体において、前記機能剤の機能に対応した色を呈する領域は、前記その他の色を呈する領域の平面視面積よりも大きい平面視面積を有する。
本態様の個包装体は、上記機能剤の機能に対応した色を呈する領域が、その他の色を呈する領域の平面視面積よりも大きい平面視面積を有しているため、使用者が、折り畳まれた吸収性物品を展開したときに、上記機能剤の機能に対応した色をより明確かつ確実に認識することができる。
【００１２】
本発明の更に別の態様（態様５）では、上記態様２〜４のいずれかの個包装体において、前記吸収性物品は、展開した状態において、前記第１表面対応部分の厚みと、前記第１表面対応部分に隣接する部分の厚みとが異なる。
本態様の個包装体は、吸収性物品の第１表面対応部分の厚みと、当該第１表面対応部分に隣接する部分の厚みとが異なり、これら各部分の境界が厚み差に基づく立体的視覚差や質感の差異によって視認しやすくなっているため、使用者が、折り畳まれた吸収性物品を展開したときに、上記機能剤の機能に対応した色をより明確に認識することができる。
なお、吸収性物品がこのような厚み差を有していると、その剛性差によって、折り畳まれた吸収性物品を展開しやすいという利点もある。
【００１３】
本発明の更に別の態様（態様６）では、上記態様１〜５のいずれかの個包装体において、前記個包装体は、折り畳まれた前記吸収性物品を包む包装材と、
前記包装材の外表面において前記包装材の端部とその他の部分とに跨って配置される、個包装状態を維持するためのリードテープと、を有し、
前記包装材は、光線透過率が４５％以上であり、
前記リードテープは、前記包装材の外表面のうち、前記第１表面と前記厚さ方向に対応する部分に配置されている。
本態様の個包装体は、使用者の目に留まりやすいリードテープが、包装材の外表面のうちの上記第１表面と厚さ方向に対応する部分に配置されているため、使用者がリードテープを剥がして個包装体を開封する際に、リードテープの下にある第１表面の上記色をより確実に認識することができる。なお、本態様の個包装体は、包装材の光線透過率が４５％以上であるため、上記機能剤の機能に対応した色を、包装材を通してより認識しやすくなっている。
【００１４】
本発明の更に別の態様（態様７）では、上記態様１〜６のいずれかの個包装体において、前記吸収性物品は、非肌対向面に着衣固定用の粘着部を有し、
前記個包装体は、前記粘着部を介して前記吸収性物品に貼付され、折り畳まれた前記吸収性物品を包む包装材を有しており、
前記包装材は、光線透過率が４５％以上であり、かつ、前記吸収性物品と対向する表面に離型処理領域を有する。
本態様の個包装体は、包装材の光線透過率が４５％以上であり、当該包装材の反対側が透けて見えやすくなっている上、包装材が吸収性物品と対向する表面に離型処理領域を有していて、吸収性物品の粘着部を保護するための離型シートを別途備える必要がないため、個包装体の構成部材の数を低減することができ、上記機能剤の機能に対応した色を、包装材を通してより認識しやすくすることができる。
【発明の効果】
【００１５】
本発明によれば、吸収性物品の使用者が、使用前の個包装体の状態から吸収性物品の所定の機能を認識しやすい、吸収性物品の個包装体を提供することができる。
【図面の簡単な説明】
【００１６】
【図１】図１は、本発明の一実施形態に係る、生理用ナプキン１を折り畳んでなる個包装体１０の斜視図であり、図１（ａ）は、個包装体１０を第１表面Ｓ１側から見た斜視図であり、図１（ｂ）は、個包装体１０を第２表面Ｓ２側から見た斜視図である。
【図２】図２は、生理用ナプキン１を、展開した状態で表面シート２側から厚さ方向ＤＴに見た平面図である。
【図３】図３は、生理用ナプキン１を、展開した状態で裏面シート３側から厚さ方向ＤＴに見た平面図である。
【図４】図４は、生理用ナプキン１の、長手方向ＤＬに延びる中央軸線ＣＬに沿った断面の端面図である。
【図５】図５は、個包装体１０を形成するための、生理用ナプキン１の折り畳み方法を説明するための斜視図である。
【図６】図６は、本発明の別の実施形態に用いられる生理用ナプキン１Ａを、展開した状態で表面シート２側から厚さ方向ＤＴに見た平面図である。
【図７】図７は、生理用ナプキン１Ａの、長手方向ＤＬに延びる中央軸線ＣＬに沿った断面の端面図である。
【発明を実施するための形態】
【００１７】
以下、本発明の個包装体の好適な実施形態について、図面を参照しながら詳細に説明する。なお、本明細書においては、特に断りのない限り、「水平面上に置いた対象物（例えば、個包装体、吸収性物品等）を、垂直方向の上方側から対象物の厚さ方向に見ること」を、単に「平面視」という。
【００１８】
（各種定義）
本明細書において用いられる各種方向等については、特に断りのない限り、以下のとおりである。
本明細書において、「長手方向」は、「平面視における縦長の対象物（例えば、個包装体、展開した状態の吸収性物品、吸収性物品の各種構成部材等）の長さの長い方向」を指し、「幅方向」は、「平面視における縦長の対象物の長さの短い方向」を指し、「厚さ方向」は、「展開した状態で水平面上に置いた対象物に対して垂直方向」を指し、これらの方向は、互いに直交する関係にある。
さらに、本明細書では、「縦長の対象物の幅方向の中央に位置し且つ長手方向に延びる軸線」を「長手方向の中央軸線」といい、「縦長の対象物の長手方向の中央に位置し且つ幅方向に延びる軸線」を「幅方向の中央軸線」という。
また、本明細書では、「吸収性物品の長手方向において、着用者が吸収性物品を着用した際に着用者の腹部に対して相対的に近位側となる長手方向の一方側」を、「吸収性物品の前方側」といい、「吸収性物品の長手方向において、着用者が吸収性物品を着用した際に着用者の腹部に対して相対的に遠位側（すなわち、着用者の背部に対して相対的に近位側）となる他方側」を、「吸収性物品の後方側」という。
そして、本明細書では、特に断りのない限り、展開した状態の吸収性物品の厚さ方向において、「吸収性物品の着用時に、着用者の肌面に対して相対的に近位側に位置する表面」を「肌対向面」といい、「吸収性物品の着用時に、着用者の肌面に対して相対的に遠位側に位置する表面」を「非肌対向面」という。
なお、本明細書において、「使用者」は、吸収性物品を実際に着用する者（すなわち、着用者）のほか、吸収性物品を他者に装着する者（例えば、介護者等）を含む。
【００１９】
［個包装体］
本発明の一実施形態に係る個包装体１０は、包装材１１が貼付された生理用ナプキン１を、生理用ナプキン１の肌対向面ＳＦが内側となるように長手方向ＤＬおよび幅方向ＤＷの各々において三つ折りに折り畳むことによって形成されており、図１に示すような平べったい略直方体の外形形状を有している。
なお、本実施形態の個包装体１０は、図１（ａ）に示すように、包装材１１の外表面において当該包装材１１の端部とその他の部分とに跨って配置されたリードテープ１２によって封止され、折り畳まれた生理用ナプキン１の個包装状態が維持されている。
【００２０】
また、個包装体１０は、長手方向ＤＬおよび幅方向ＤＷがそれぞれ展開した状態の生理用ナプキン１の長手方向ＤＬおよび幅方向ＤＷに対応するように折り畳まれているが、本発明においては、このような折り畳み形態に限定されない。
【００２１】
さらに、個包装体１０は、図１に示すように、個包装体１０の厚さ方向ＤＴの一方側に位置する第１表面Ｓ１と、個包装体１０の厚さ方向ＤＴの他方側に位置する第２表面Ｓ２と、を有している。
なお、生理用ナプキン１は、折り畳まれた状態において、上記第１表面Ｓ１と厚さ方向ＤＴに対応する第１表面対応部分（具体的には、後述する展開した状態の生理用ナプキン１の前方側ＤＦに位置する機能領域２０において、表面シート２と裏面シート３との間に配置された機能性部材２１）に所定の機能剤（温感剤）を含む。
【００２２】
そして、個包装体１０の第１表面Ｓ１は、図１（ａ）に示すように、当該第１表面Ｓ１の大部分（例えば、第１表面Ｓ１の表面積の８０％以上を占める部分）において、機能剤の機能に対応した色、すなわち、本実施形態においては温感剤の温感機能に対応した暖色系の色（例えば、赤色、オレンジ色、黄色等）を呈している。なお、この機能剤の機能に対応した色を呈する部分は、個包装体１０の第１表面Ｓ１のうちの少なくとも一部分であればよい。
また、上記機能剤の機能に対応した色を呈する部分は、個包装体１０の第１表面Ｓ１の表面が直接着色されることによって上記色が視認できるように形成されていても、第１表面Ｓ１よりも第２表面Ｓ２側（例えば、生理用ナプキン１の内部）に位置する着色部分（例えば、表面シート２と裏面シート３の間に位置する、着色された機能性部材２１）を発色源として、第１表面Ｓ１を通して視認されるように形成されていてもよい。
【００２３】
本実施形態の個包装体１０は、上記所定の機能剤を含む部分と厚さ方向ＤＴに対応する第１表面Ｓ１が、少なくとも部分的に機能剤の機能に対応した色を呈しているため、使用前の個包装体１０の状態であっても、使用者が、上記色を視認することによって、生理用ナプキン１の所定の機能（すなわち、機能剤である温感剤の温感機能）を認識しやすくなっている。
したがって、本実施形態の個包装体１０は、使用者が上記機能を考慮して生理用ナプキン１を的確に装着することができるため、上記機能による生理用ナプキン１の所期の効果（すなわち、温感効果）を着実に発揮させることができる。
【００２４】
以下、本発明の個包装体に用い得る吸収性物品について、上述の生理用ナプキン１を用いて更に詳細に説明する。
【００２５】
［吸収性物品］
図２および図３に示すように、生理用ナプキン１は、平面視にて、長手方向ＤＬおよび幅方向ＤＷを有する縦長の外形形状を有しており、さらに、幅方向ＤＷの中央軸線ＣＷよりも後方側ＤＢの所定位置において、生理用ナプキン１の幅方向ＤＷの一方側端部および他方側端部の各々が幅方向ＤＷの外方側に向かって略台形状に突出した、一対のフラップ部６、６を有している。
【００２６】
なお、本発明において、吸収性物品の外形形状は、このような態様に限定されず、長手方向および幅方向を有する長形状のものであれば、各種用途等に応じた任意の縦長の形状（例えば、長方形、楕円形、砂時計形など）を採用することができる。
【００２７】
上述の生理用ナプキン１は、図４に示すように、厚さ方向ＤＴにおいて、生理用ナプキン１の肌対向面ＳＦを形成する液透過性の表面シート２と；生理用ナプキン１の非肌対向面ＳＢを形成する液不透過性の裏面シート３と；これら両シートの間に位置する吸水性の吸収体４と；生理用ナプキン１の前方側ＤＦに位置する機能領域２０において表面シート２と裏面シート３の間に位置し且つ機能剤として温感剤を含む機能性部材２１とを、主な構成部材として備えている。
【００２８】
また、生理用ナプキン１は、図２に示すように、幅方向ＤＷの両端部においてそれぞれ長手方向ＤＬに延在する一対のサイドシート５、５を備えていて、さらに、図３に示すように、裏面シート３の非肌対向面ＳＢにおいて吸収体４と厚さ方向ＤＴに重複し且つ長手方向ＤＬに延びる複数本の帯状の形態で配置された着衣固定用粘着部７と；一対のフラップ部６、６の各々の非肌対向面ＳＢにおいて長手方向ＤＬに延びる帯状の形態で配置された一対のフラップ部固定用粘着部７１、７１と；生理用ナプキン１の前方側ＤＦに位置する機能領域２０において幅方向ＤＷの両端部に配置された一対の前方側第１粘着部７２、７２と；上記機能領域２０の幅方向ＤＷの略中央部において長手方向ＤＬに延びる複数本の帯状の形態で配置された前方側第２粘着部７３とを、構成部材として備えている。
【００２９】
さらに、上述の生理用ナプキン１は、図２に示すように、平面視にて、生理用ナプキン１の最も前方側ＤＦに位置する長手方向前方側端部を通るように幅方向ＤＷに延びる前方端仮想線ＬＥ１と、生理用ナプキン１の最も後方側ＤＢに位置する長手方向後方側端部を通るように幅方向ＤＷに延びる後方端仮想線ＬＥ２とを有し、さらに、これら前方端仮想線ＬＥ１および後方端仮想線ＬＥ２の間には、長手方向ＤＬの前方側ＤＦにおいて着用者に温感を与える上記機能性部材２１を含む機能領域２０と、当該機能領域２０の後方側ＤＢに隣接し、着用者から排出された経血等の液状排泄物を吸収する、吸収体４を含む吸収領域３０と、を有している。
【００３０】
なお、図２〜図４に示すように、機能領域２０には、吸収領域３０の吸収体４がこれら領域の境界を超えて延在していないが、吸収領域３０には、機能領域２０の機能性部材２１がこれら領域の境界を超えて延在しており、さらに、吸収領域３０における機能領域２０との隣接部分には、相対的に肌対向面側に位置する吸収体４と、相対的に非肌対向面側に位置する機能性部材２１とが厚さ方向ＤＴに重なる重複部４０を有している。このような形態で吸収体４と機能性部材２１が重なっているため、重複部４０は、着用者から排出された液状排泄物を吸収する作用を主な作用として備えている。
【００３１】
なお、吸収領域３０は、長手方向ＤＬにおいて吸収領域３０の略中央部に位置するとともに、上記一対のフラップ部６、６と幅方向ＤＷに重複し、生理用ナプキン１の着用時に着用者の排泄口に対向する排泄口対応領域と；当該排泄口対応領域の前方側ＤＦに隣接する前方側吸収領域と；当該排泄口対応領域の後方側ＤＢに隣接する後方側吸収領域との、３つの領域に区分することができる。
【００３２】
そして、上述の生理用ナプキン１は、図２に示すように、平面視にて、生理用ナプキン１を幅方向ＤＷに三つ折りするための、長手方向ＤＬに延びる長手方向第１折り線ＬＷ１（仮想線）および長手方向第２折り線ＬＷ２（仮想線）と；生理用ナプキン１を長手方向ＤＬに三つ折りするための、幅方向ＤＷに延びる幅方向第１折り線ＬＬ１（仮想線）および幅方向第２折り線ＬＬ２（仮想線）とを有している。生理用ナプキン１は、これらの各折り線によって、肌対向面ＳＦが内側となるように長手方向ＤＬおよび幅方向ＤＷのそれぞれに三つ折りに折り畳まれて、上述の個包装体１０を形成することができる。
なお、生理用ナプキン１の折り畳み方法（すなわち、個包装体１０の形成方法）については、後述する。
【００３３】
このように構成される生理用ナプキン１は、着用する際に、生理用ナプキン１の非肌対向面ＳＢを、着衣固定用粘着部７、一対の前方側第１粘着部７２、７２および前方側第２粘着部７３を介して着用者の着衣（例えば、下着等）の内面に貼り付けた後、一対のフラップ部６、６をそれぞれ着衣の外面側に折り返しつつ一対のフラップ部固定用粘着部７１、７１を介して着衣の外面に貼り付けることにより、着用者の着衣に固定される。
なお、本発明において、上記一対のフラップ部を有することは必須の構成要件でないため、吸収性物品の形態等によっては、必ずしもこのようなフラップ部を有していなくてもよい。
【００３４】
以下、本発明の個包装体に用い得る吸収性物品の各種構成部材について、上述の生理用ナプキン１を用いて更に詳細に説明する。
【００３５】
［表面シート］
生理用ナプキン１において、表面シート２は、図２および図４に示すように、平面視にて、生理用ナプキン１の長手方向の前方側端部から後方側端部にわたって延在するとともに、生理用ナプキン１の幅方向ＤＷの一方側端部から他方側端部にわたって延在する縦長の外形形状を有している。かかる表面シート２は、図４に示すように、生理用ナプキン１の厚さ方向ＤＴにおいて肌対向面側の位置に配置されて、着用者の肌面に当接し得る接触面（すなわち、生理用ナプキン１の肌対向面ＳＦ）を形成する、液透過性のシート状部材によって形成されている。
【００３６】
このような液透過性のシート状部材としては、吸収性物品の表面シートとして用い得る諸特性（例えば、液透過性や肌触り、柔軟性、強度等）を有するものであれば特に制限されず、例えば、エアスルー不織布、スパンレース不織布、スパンボンド不織布、ポイントボンド不織布等の各種不織布や多孔樹脂フィルムなどを用いることができる。さらに、シート状部材の構造も特に制限されず、平坦な無孔のシート状構造のほか、例えば、複数の開口部を有する平坦なシート状構造や凹凸構造などの種々のシート状構造を採用することができる。
【００３７】
また、本発明においては、表面シートは、光線透過率が４５％以上であることが好ましく、５０％以上であることがより好ましく、５５％以上であることが更に好ましい。表面シートが４５％以上の光線透過率を有していると、上述の機能剤の機能に対応した色の発色源が表面シートよりも非肌対向面側に位置するような場合でも、かかる色を、表面シートを通して更に視認しやすくすることができる。すなわち、折り畳まれた吸収性物品を展開する際に、個包装体の第１表面に対応する部分（第１表面対応部分）の肌対向面が上述の機能剤の機能に対応した色を呈していることを、より認識しやすくすることができる。
【００３８】
ここで、「光線透過率」は、ＪＩＳ  Ｋ７１０５−１９８１の５．５．２の「測定法Ａ」に従って測定される「全光線透過率」を意味し、かかる全光線透過率は、例えば、日本電色工業株式会社製の測色色差計（型式ＮＤＨ−３００Ａ）を用いて、所定の条件下（受光素子：ＪＩＳ  Ｋ７１０５−１９８１に準拠するシリコンフォトセル、フィルター：色ガラスフィルタ  Ｙ、測定面積：φ１２ｍｍ）で測定することができる。
【００３９】
なお、表面シートとして不織布を用いる場合、その構成繊維の種類は、特に制限されず、例えば、セルロース系繊維や親水化処理を施した熱可塑性樹脂繊維（例えば、親水化処理を施したオレフィン系樹脂やポリエステル系樹脂等）などの親水性繊維が挙げられる。これらの繊維は単独で用いても、２種類以上の繊維を併用してもよい。
【００４０】
本発明において、表面シートの外形形状や各種寸法、坪量等は、所望の液透過性や肌触り、柔軟性等に応じた任意の外形形状や各種寸法、坪量等を採用することができる。
【００４１】
［吸収体］
上述の生理用ナプキン１において、吸収体４は、図２に示すように、平面視にて、生理用ナプキン１の排泄口対応領域の略中央部を中心にして、長手方向ＤＬおよび幅方向ＤＷの広範囲に延在するとともに、長手方向ＤＬの両端部がそれぞれ長手方向ＤＬの外方側に向かって円弧を描くように突出した縦長の外形形状を有している。かかる吸収体４は、図４に示すように、生理用ナプキン１の厚さ方向ＤＴにおいて表面シート２と裏面シート３の間に配置されて、表面シート２を透過してきた経血等の液状排泄物を吸収して保持し得る、所定の吸水性及び液保持性を備えた吸水性部材によって形成されている。
【００４２】
このような吸水性部材は、着用者から排出される経血等の液状排泄物を吸収して保持し得るものであれば特に制限されず、当分野において公知の任意の吸水性部材を採用することができる。そのような吸水性部材の例としては、任意の吸水性材料によって構成される少なくとも一つの吸収コアを、ティッシュ等の親水性のコアラップシートで覆ったものなどが挙げられる。ここで、吸収コアを構成する吸水性材料としては、例えば、親水性繊維や高吸収性ポリマーなどが挙げられ、更に具体的には、粉砕パルプ、コットン、レーヨン、アセテート等のセルロース系繊維；アクリル酸ナトリウムコポリマー等の高吸収性ポリマーからなる粒状物；およびこれらの混合物などが挙げられる。
【００４３】
本発明において、吸収体の外形形状や各種寸法、坪量等は、所望の吸収性能や柔軟性、強度等に応じた任意の外形形状や各種寸法、坪量等を採用することができる。
【００４４】
［裏面シート］
上述の生理用ナプキン１において、裏面シート３は、図２および図４に示すように、平面視にて、生理用ナプキン１の長手方向の前方側端部から後方側端部にわたって延在するとともに、生理用ナプキン１の幅方向ＤＷの一方側端部から他方側端部にわたって延在する縦長の外形形状を有している。かかる裏面シート３は、図４に示すように、生理用ナプキン１の厚さ方向ＤＴにおいて非肌対向面側の位置に配置されて、着用者の肌面に対する非接触面（すなわち、生理用ナプキン１の非肌対向面ＳＢ）を形成する、液不透過性のシート状部材によって形成されている。
【００４５】
このような液不透過性のシート状部材としては、少なくとも着用者から排出される液状排泄物の透過を防止し得る程度の液不透過性を有するものであれば特に制限されず、例えば、熱可塑性樹脂繊維（例えば、ポリエチレンやポリプロピレン等のポリオレフィン系樹脂繊維、ポリエチレンテレフタレート等のポリエステル系樹脂繊維、芯鞘型等の各種複合繊維など）によって形成された疎水性不織布；ポリオレフィン系樹脂等の熱可塑性樹脂によって形成された疎水性樹脂フィルム；該樹脂フィルムに不織布を貼り合わせた積層体；ＳＭＳ不織布等の積層不織布などを用いることができる。さらに、シート状部材の構造も特に制限されず、平坦な無孔のシート状構造のほか、例えば、所定の液不透過性を保持しつつ通気性を確保するための複数の開口部を備えた平坦なシート状構造や凹凸構造などの種々のシート状構造を採用することができる。
【００４６】
また、本発明においては、裏面シートは、光線透過率が４５％以上であることが好ましく、５０％以上であることがより好ましく、５５％以上であることが更に好ましい。裏面シートが４５％以上の光線透過率を有していると、上述の機能剤の機能に対応した色の発色源が裏面シートよりも肌対向面側に位置するような場合でも、かかる色を、裏面シートを通して視認しやすくすることができる。すなわち、吸収性物品を折り畳んでなる個包装体の第１表面が上述の機能剤の機能に対応した色を呈していることを、より認識しやすくすることができる。
なお、上述の機能剤の機能に対応した色の発色源が、裏面シートの非肌対向面に位置する場合（例えば、裏面シートの非肌対向面が着色される場合等）は、裏面シートは、上記の光線透過率の要件を満たしていなくてもよい。
【００４７】
本発明において、裏面シートの外形形状や各種寸法、坪量等は、所望の防漏性能や通気性等に応じた任意の外形形状や各種寸法、坪量等を採用することができる。
【００４８】
［サイドシート］
上述の生理用ナプキン１において、一対のサイドシート５、５は、図２に示すように、平面視にて、生理用ナプキン１の幅方向ＤＷの両端部においてそれぞれ長手方向ＤＬに延在する、一対の帯状のシート状部材によって形成されている。かかる一対のサイドシート５、５は、生理用ナプキン１の厚さ方向ＤＴにおいて肌対向面側の位置に配置されて、上記表面シート２とともに生理用ナプキン１の肌対向面ＳＦを形成している。
【００４９】
さらに、一対のサイドシート５、５の各々は、幅方向ＤＷの外方側端部が裏面シート３の肌対向面に接合されて固定端部を形成している一方、幅方向ＤＷの中心側端部が表面シート２などのいずれの構成部材とも接合されておらず、自由端部を形成している。これにより、一対のサイドシート５、５は、生理用ナプキン１の着用時に幅方向ＤＷの中心側端部（自由端部）が起立して、着用者から排出される液状排泄物の漏洩を防止するための防漏壁部を形成することができる。
【００５０】
サイドシートに用いられる帯状のシート状部材としては、吸収性物品のサイドシートとして用い得る諸特性（例えば、液不透過性（防漏性）や肌触り、柔軟性、強度等）を有するものであれば特に制限されず、例えば、上記裏面シートと同様の液不透過性のシート状部材（すなわち、疎水性不織布や疎水性樹脂フィルムなどのシート状部材）を帯状に裁断したものなどを用いることができる。
【００５１】
また、本発明においては、サイドシートは、光線透過率が４５％以上であることが好ましく、５０％以上であることがより好ましく、５５％以上であることが更に好ましい。サイドシートが４５％以上の光線透過率を有していると、上述の機能剤の機能に対応した色の発色源がサイドシートよりも非肌対向面側に位置するような場合でも、上記色を、サイドシートを通して視認しやすくすることができる。すなわち、折り畳まれた吸収性物品を展開する際に、個包装体の第１表面に対応する第１表面対応部分の肌対向面が上述の機能剤の機能に対応した色を呈していることを、より認識しやすくすることができる。
【００５２】
本発明において、サイドシートの外形形状や各種寸法、坪量等は、所望の防漏性や肌触り、柔軟性等に応じた任意の外形形状や各種寸法、坪量等を採用することができる。
【００５３】
なお、本発明において、上記一対のサイドシートを備えることは必須の構成要件でないため、吸収性物品の形態等によっては、必ずしもこのようなサイドシートを有していなくてもよい。
【００５４】
［機能性部材］
上述の生理用ナプキン１において、機能性部材２１は、図２に示すように、平面視にて、少なくとも生理用ナプキン１の前方側ＤＦに位置する機能領域２０において長手方向ＤＬおよび幅方向ＤＷの広範囲にわたって延在する所定の外形形状を有している。かかる機能性部材２１は、図４に示すように、生理用ナプキン１の厚さ方向ＤＴにおいて表面シート２と裏面シート３の間に配置されて、着用者に所定の作用（温感作用）をもたらす機能剤としての温感剤を含むシート状部材によって形成されている。
【００５５】
機能性部材２１を形成するシート状部材は、機能剤としての温感剤と、当該温感剤を保持し得る基材と、温感剤の機能（温感機能）に対応した色（すなわち、暖色系の色）の着色剤とによって構成されている。
なお、本発明において、機能性部材を形成するシート状部材は、液体状または固体状（ペースト状、粉体状等を含む。）の機能剤と、当該機能剤を保持し得る構造を備えた基材とを少なくとも含むものであれば、機能剤の機能に対応した色の着色剤を含んでいなくてもよい。その場合、機能剤の機能に対応した色の発色源は、その他の構成部材（例えば、裏面シート等）に設けられる。
【００５６】
上記機能剤を保持し得る基材としては、液体状または固体状の機能剤を保持し得るものであれば特に制限されず、例えば、布帛（例えば、不織布、織布、編布等）や多孔質樹脂シート（例えば、スポンジシート等）などが挙げられる。かかる基材は、機能性部材用の基材として単独で用いられるものでなくてもよく、他の構成部材（例えば、表面シートや裏面シート、中間シート、コアラップシート等）と兼用されていてもよい。
なお、機能剤自体が所定の保形性等を有していて、機能剤単独で吸収性物品の所定の位置に配置され且つ所定の機能を発揮し得るような場合は、機能性部材は、基材を有していなくてもよい。
【００５７】
また、上述の生理用ナプキン１において、機能剤として用いられる温感剤は、それ自体が発熱せずに着用者の皮膚の温熱知覚受容器を刺激して、着用者に温感を知覚させる温感成分を含むものである。
なお、上述の生理用ナプキン１においては、温感剤は、平面視にて、機能性部材２１の略全体に含まれているが、所定の温感機能を発揮し得るのであれば一部分（例えば、中央部のみ等）に含まれていてもよい。
【００５８】
上述の生理用ナプキン１では、機能性部材２１が表面シート２よりも非肌対向面側に配置されていても、機能性部材２１の温感剤が、生理用ナプキン１の着用時において溶出または揮発等により表面シート２を透過し、着用者の下腹部の肌に接触することができるため、かかる温感剤の温感成分が皮膚の温熱知覚受容器を刺激して、着用者の下腹部に温感を付与することができる。
このようにして着用者の下腹部、すなわち着用者の子宮に近い部分が温められることによって、着用者の生理痛を緩和したり、月経前症候群や冷え性、更年期障害などの症状を軽減したりすることが期待される。
【００５９】
なお、機能性部材２１を配置する厚さ方向ＤＴの位置は、生理用ナプキン１の着用時に温感剤が着用者の肌に接触し得る位置であれば特に制限されないが、着用者の肌への接触のしやすさの点から、肌対向面ＳＦに近い位置であることが好ましい。
【００６０】
上記温感剤に含まれる温感成分としては、着用者の安心感などの点から、植物由来の化合物であることが好ましく、例えば、カプサイシン類、バニリルアルコールアルキルエーテル誘導体（例えば、バニリルエチルエーテル、バニリルブチルエーテル、バニリルペンチルエーテル、バニリルヘキシルエーテル等）、ショウガエキス、ジンジャーオイルなどが挙げられる。これらの化合物の中でも、皮膚への刺激性の点から、バニリルアルコールアルキルエーテル誘導体、ショウガエキス、ジンジャーオイルなどを用いることが好ましい。なお、これらの化合物は、単独で用いても２種類以上を併用してもよい。
【００６１】
また、上記温感剤を塗工などにより基材に適用する際は、温感成分とともに当該温感成分を溶解ないし分散し得る溶媒成分を用いることができ、そのような溶媒成分としては、例えば、親油性溶媒や親水性溶媒などが挙げられる。
上記親油性溶媒としては、例えば、天然油（例えば、トリグリセリド等の脂肪酸エステル、ヤシ油、アマニ油など）や炭化水素（例えば、パラフィン等）などの油脂が挙げられる。一方、上記親水性溶媒としては、例えば、水やアルコールなどが挙げられ、さらに、アルコールとしては、例えば、低級アルコール（例えば、メタノール、エタノール、エチレングリコール、グリセリン等）、高級アルコール（例えば、カプリルアルコール、ラウリルアルコール等）などが挙げられる。
これらの溶媒の中でも、揮発性を制御しやすいという点で、油脂などの親油性溶媒またはアルコールを用いることが好ましく、さらに、吸収性物品の吸収性能を維持しやすいという点から、油脂などの親油性溶媒を用いることがより好ましい。
なお、このような溶媒は、基材に適用した後に、溶媒が固化した状態または揮発した状態で適用対象部位に留まっていてもよい。
【００６２】
また、上記温感剤における温感成分の濃度は、温感効果の点から、好ましくは１〜５０質量％であり、より好ましくは３〜３０質量％であり、更に好ましくは５〜１５質量％である。
【００６３】
なお、本発明において、機能剤は、上記温感剤に限定されず、所望の作用に応じた任意の機能剤を採用することができる。そのような機能剤としては、例えば、冷感剤や発熱剤、薬剤（例えば、皮膚収斂剤、抗炎症剤、抗菌剤、ｐＨ調整剤、保湿剤等）、消臭剤などが挙げられる。これらの機能剤は、例えば、平面視にて、機能性部材の一部の部分に１種類の機能剤（例えば、温感剤）を配置し、他の部分に別の種類の機能剤（例えば、冷感剤）を配置する形態で、併用してもよい。
【００６４】
本発明において、上記機能剤として用い得る冷感剤は、それ自体が冷却せずに着用者の皮膚の冷感知覚受容器を刺激して、着用者に冷感を知覚させる冷感成分を含むものである。上記冷感成分としては、例えば、メントール（例えば、ｌ−メントール等）；メントール誘導体（例えば、乳酸メンチル、メンチルグリセリルエーテル等）；サリチル酸メチル；ミントやユーカリ等の植物由来の精油などが挙げられる。なお、冷感剤を塗工などにより基材に適用する際に用い得る溶媒成分は、上記温感剤と同様のものを用いることができる。
【００６５】
また、上記冷感剤における冷感成分の濃度は、冷感効果の点から、好ましくは５〜９０質量％であり、より好ましくは１０〜８０質量％であり、更に好ましくは３０〜７０質量％である。
【００６６】
本発明において、上記機能剤として用い得る発熱剤は、それ自体が発熱することで着用者の皮膚を温める作用を有するものであり、例えば、鉄粉等の金属粉の酸化熱、酸またはアルカリの中和熱、無機塩の水和熱などの化学エネルギーを利用するものが挙げられる。なお、発熱剤は、溶媒成分または分散媒体に溶解または分散させて用いてもよい。
【００６７】
本発明において、上記機能剤として用い得る薬剤は、着用者の皮膚に所定の薬理作用をもたらすものであり、例えば、皮膚収斂剤、抗炎症剤、抗菌剤、ｐＨ調整剤、保湿剤などが挙げられる。
上記皮膚収斂剤としては、例えば、酸化亜鉛や硫酸アルミニウム、タンニン酸、油溶性ポリフェノール（例えば、オオバクエキス、オトギリソウエキス、カモミラエキス、シラカバエキス、ビワ葉エキス、ボダイジュエキス、ホップエキス等）などの収斂成分を含むものが挙げられる。
上記抗炎症剤としては、例えば、天然由来の抗炎症成分（例えば、ボタンエキス、オトギリソウエキス、カモミラエキス、ヨモギエキス、シソエキス等）や合成抗炎症成分（例えば、アラントイン、グリチルリチン酸ジカリウム等）などの抗炎症成分を含むものが挙げられる。
上記抗菌剤としては、例えば、天然由来の抗菌成分（例えば、オウバクエキス、オリーブ葉エキス、カモミラエキス、クマザサエキス、サンショウエキス、シソエキス、ドクダミエキス、ホップエキス、ユーカリエキス、ヨモギエキス等）や合成抗菌成分（例えば、エチルヘキシルグリセリン等）などの抗菌成分を含むものが挙げられる。
上記ｐＨ調整剤としては、例えば、リンゴ酸、コハク酸、クエン酸、酒石酸、乳酸等の肌を弱酸性に保つための弱酸性成分を含むものが挙げられる。
上記保湿剤としては、例えば、多価アルコール類（例えば、グリセリン、プロピレングリコール、ブチレングリコール、ソルビット等）、尿素、エモリエント成分（例えば、ワセリン等）などの保湿成分を含むものが挙げられる。
【００６８】
また、本発明において、上記機能剤として用い得る消臭剤は、着用者から排出された排泄物から生じる臭気を物理的または化学的に吸着ないし吸収する作用を有するものであり、例えば、活性炭、ゼオライト、シリカゲル、アルミナ、多孔質ガラス、銀イオンなどが挙げられる。
【００６９】
本発明において、機能性部材における機能剤の含有量（坪量）は、機能剤の種類や機能性部材の配置位置などに応じた所定の含有量を採用することができる。例えば、機能剤として温感剤または冷感剤を採用し、かつ、機能性部材を上述の生理用ナプキン１と同様の形態で配置する場合には、機能剤は、温感剤または冷感剤に含まれる温感成分または冷感成分の坪量が、好ましくは０．００１〜３０ｇ／ｍ2、より好ましくは０．０１〜２０ｇ／ｍ2、更に好ましくは０．１〜１０ｇ／ｍ2となるような坪量で、機能性部材に含有させることができる。
【００７０】
そして、上述の生理用ナプキン１においては、機能性部材２１は、機能剤としての温感剤の温感機能に対応した色、すなわち暖色系の色の着色剤によって着色されている。これにより、かかる生理用ナプキン１が折り畳まれてなる個包装体１０は、暖色系の色に着色された機能性部材２１を発色源として、上記温感剤の温感機能に対応した暖色系の色を、個包装体１０の第１表面Ｓ１を通して使用者に視認させることができるため、個包装体の状態のままでも、生理用ナプキン１の温感機能を使用者に認識させやすくすることができる。
さらに、上記機能性部材２１は、エアレイドパルプ（白色）を着色されたティッシュで厚さ方向に挟むことによって形成されている。このように、機能性部材２１の肌対向面側および非肌対向面側の各表面を形成するシートとして、エアレイドよりも繊維密度が高く、顔料等が拡散しやすい（すなわち、色が発現しやすい）ティッシュを用いることで、単にエアレイドパルプ（繊維密度が低く保温性に優れた資材）を着色するよりも、表面シート側からも裏面シート側からも上記色を視認しやすくすることができる。
その他、着色されたティッシュをエアレイドパルプや不織布などのシートで挟むことによって発色させてもよい。これにより、機能剤の配置や液状排泄物の吸収を阻害することなく、上記色を発現させることができる。
【００７１】
ここで、本明細書において「機能剤の機能に対応した色」とは、機能剤の機能を想起させる色を意味し、例えば、機能剤が温感剤や発熱剤などの場合は、温かい印象を与える赤色やオレンジ色、黄色などの暖色系の色が該当し、機能剤が冷感剤などの場合は、冷たい印象を与える青色や青緑色、青紫色などの寒色系の色が該当し、機能剤が薬剤などの場合は、健康に良い印象や自然の印象を与える緑色、黄緑色などの緑系の中性色が該当する。さらに、機能剤が消臭剤などの場合は、活性炭や銀イオンを想起する黒色や灰色が該当する。
【００７２】
また、上述の生理用ナプキン１においては、図２および図３に示すように、着色された機能性部材２１の暖色系の色が、裏面シート３を通して非肌対向面側から視認できるだけでなく、表面シート２を通して肌対向面側からも視認でき、生理用ナプキン１を折り畳んでなる個包装体１０の第１表面Ｓ１に対応する部分（すなわち、第１表面対応部分）の肌対向面ＳＦおよび非肌対向面ＳＢの各々が、上記温感剤の機能に対応した暖色系の色を呈している。これにより、かかる生理用ナプキン１を折り畳んでなる個包装体１０は、使用者が、使用前の個包装体の状態だけでなく、個包装体１０を開封する際（すなわち、折り畳まれた生理用ナプキン１を展開する際）にも、上記暖色系の色を視認することにより生理用ナプキン１の温感機能を認識しやすくなっている。
【００７３】
なお、本発明において、機能性部材の外形形状や各種寸法、坪量等は、機能剤の種類や配置形態等に応じた任意の外形形状や各種寸法、坪量等を採用することができる。
【００７４】
また、機能性部材の着色に用いる着色剤は、特に限定されず、当分野において公知の任意の着色剤（例えば、顔料、染料等）を採用することができる。さらに、この着色剤による着色手段も特に限定されず、機能性部材は、例えば、着色剤を塗工または印刷することによって着色してもよいし、着色剤を機能性部材の構成成分に含有させることによって着色してもよい。なお、上記機能剤の機能に対応した色の発色源を、機能性部材の着色以外で形成する場合（例えば、個包装体の第１表面を直接着色する場合など）も同様である。
【００７５】
［粘着部］
上述の生理用ナプキン１は、図３に示すように、裏面シート３の非肌対向面ＳＢにおいて複数の粘着部、すなわち着衣固定用粘着部７、一対のフラップ部固定用粘着部７１、７１、一対の前方側第１粘着部７２、７２および前方側第２粘着部７３を備えており、これらの粘着部は、それぞれ上述の所定の形態で配置された粘着剤によって形成されている。
【００７６】
このような粘着部に用いられる粘着剤としては、当分野において公知の任意の粘着剤を採用することができ、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のスチレン系コポリマーを主体とした感圧型粘着剤などが挙げられる。
【００７７】
本発明において、各種粘着部の配置形態や外形形状、各種寸法等は、着衣への固定のしやすさなどを考慮した任意の配置形態や外形形状、各種寸法等を採用することができる。
【００７８】
なお、本発明において、上記粘着部を備えることは必須の構成要件でないため、吸収性物品の形態等によっては、必ずしもこのような粘着部を備えていなくてもよい。
【００７９】
［包装材］
上述の実施形態では、個包装体１０は、図２に示すように、生理用ナプキン１の非肌対向面ＳＢに配置された上記複数の粘着部を介して生理用ナプキン１に貼付された、包装材１１を有している。なお、図３および図４においては、包装材１１を図示していない。
かかる包装材１１は、生理用ナプキン１とともに折り畳まれて、折り畳まれた生理用ナプキン１を包むものであり、所定のシート状部材によって形成されている。
【００８０】
上述の個包装体１０においては、包装材１１は、光線透過率が４５％以上であり、かつ、生理用ナプキン１と対向する表面に離型処理領域を有している。これにより、個包装体１０は、包装材１１の反対側が透けて見えやすく、また、生理用ナプキン１の粘着部を保護するための離型シートを別途備える必要がないため、個包装体の構成部材の数を低減することができ、個包装体１０の上記機能剤の機能に対応した色が、包装材１１を通してより認識しやすくなっている。
【００８１】
なお、本発明において、上記機能剤の機能に対応した色の発色源が包装材の非肌対向面にも配置される場合（例えば、包装材の非肌対向面が着色される場合等）は、包装材は、上記の光線透過率の要件を満たしていなくてもよい。
但し、上述の実施形態のように、機能剤の機能に対応した色を呈する部分が包装材によって覆われるような場合は、包装材は、光線透過率が４５％以上であることが好ましく、５０％以上であることがより好ましく、５５％以上であることが更に好ましい。包装材の光線透過率が４５％以上であると、個包装体の上記機能剤の機能に対応した色が、包装材を通してより認識しやすくなる。
【００８２】
包装材として用い得るシート状部材は、特に限定されず、例えば、樹脂製シートや不織布などを用いることができる。中でも、個包装体の気密性の点から、樹脂製シートを用いることが好ましく、さらに、ポリエチレンやポリプロピレン等のポリオレフィン系樹脂からなる樹脂製シートを用いることがより好ましい。かかる樹脂製シートは、単層の構造または複数層の積層構造を有していてもよく、さらに、エチレンビニルアルコール共重合体（ＥＶＯＨ）樹脂等によって形成されたバリア層を有していてもよい。
【００８３】
本発明において、包装材の外形形状や各種寸法、坪量等は、包装のしやすさや気密性などを考慮した任意の外形形状や各種寸法、坪量等を採用することができる。
【００８４】
なお、本発明において、このような包装材を備えることは必須の構成要件でないため、吸収性物品のみで個包装体を形成する場合等においては、個包装体はこのような包装材を備えていなくてもよい。
【００８５】
［リードテープ］
上述の実施形態では、個包装体１０は、図１（ａ）および図２に示すように、包装材１１の外表面において当該包装材１１の端部とその他の部分とに跨って配置されたリードテープ１２を備えている。かかるリードテープ１２は、生理用ナプキン１とともに折り畳まれた包装材１１の開放端を封止して、折り畳まれた生理用ナプキン１の個包装状態を維持するものであり、帯状のテープ部材によって形成されている。
【００８６】
リードテープとして用いられるテープ部材は、当分野において公知の任意のテープ部材を採用することができ、例えば、帯状のテープ基材（例えば、フィルム、不織布、紙等）と、該テープ基材の表面に配置された粘着剤（例えば、ゴム系粘着剤、アクリル系粘着剤等）とによって構成されたものなどが挙げられる。さらに、上記テープ基材として用い得るフィルムや不織布の構成材料は、特に限定されず、例えば、ポリエチレン、ポリプロピレン等のポリオレフィン系樹脂；ポリエチレンテレフタレート等のポリエステル系樹脂；ポリアミド系樹脂；ポリウレタン系樹脂などが挙げられる。かかるテープ基材は、伸縮性を有するものであってもよい。
【００８７】
そして、上述の実施形態では、個包装体１０のリードテープ１２が、図１（ａ）に示すように、包装材１１の外表面のうちの上記第１表面Ｓ１と厚さ方向に対応する部分に配置されている。このように、使用者の目に留まりやすいリードテープ１２が、包装材１１の外表面のうちの上記第１表面Ｓ１と厚さ方向に対応する部分に配置されていると、使用者がリードテープ１２を剥がして個包装体１０を開封する際に、リードテープ１２の下にある第１表面Ｓ１の上記色（すなわち、機能剤の機能に対応した色）をより確実に認識することができる。
【００８８】
本発明において、リードテープの配置形態や外形形状、各種寸法等は、リードテープとして求められる強度や開封のしやすさなどを考慮した任意の配置形態や外形形状、各種寸法等を採用することができる。
【００８９】
なお、本発明において、このようなリードテープを備えることは必須の構成要件でないため、リードテープ以外の手段（例えば、熱融着手段等）で個包装状態を維持し得るのであれば、個包装体はこのようなリードテープを備えていなくてもよい。
【００９０】
［個包装体の形成方法］
以下、本発明の個包装体を形成するための、吸収性物品の折り畳み方法（すなわち、個包装体の形成方法）について、図面を参照しながら詳細に説明する。
【００９１】
上述の実施形態の個包装体１０は、図５（ａ）に示すような展開した状態の生理用ナプキン１を、図５（ｂ）に示すように、長手方向ＤＬに延びる長手方向第１折り線ＬＷ１および長手方向第２折り線ＬＷ２の各々において、肌対向面ＳＦが内側となるように幅方向ＤＷに三つ折りに折り畳んだ後、図５（ｃ）および（ｄ）に示すように、幅方向ＤＷに延びる幅方向第１折り線ＬＬ１および幅方向第２折り線ＬＬ２の各々において、肌対向面ＳＦが内側となるように長手方向ＤＬに三つ折りに折り畳むことによって形成することができる。
【００９２】
なお、生理用ナプキン１を折り畳むにあたっては、生理用ナプキン１を、非肌対向面ＳＢに貼付された包装材１１とともに折り畳み、さらに、折り畳んだ後は、包装材１１の外表面において当該包装材１１の端部に配置されたリードテープ１２によって、折り畳まれた包装材１１の開放端を封止して、包装状態を維持する。
【００９３】
なお、本発明において、個包装体を形成するための吸収性物品の折り畳み方法は、上述の実施形態の態様に限定されず、個包装体のコンパクト性や開封のしやすさなどを考慮した任意の折り畳み方法を採用することができる。
（別の実施形態）
【００９４】
また、本発明において、個包装体に用い得る吸収性物品は、上述の実施形態の態様に限定されず、特に、機能剤の配置形態（すなわち、機能性部材の配置形態）などは適宜変更が可能である。
以下、上述の実施形態における生理用ナプキン１とは機能性部材および吸収体の配置形態のみが異なる、本発明の別の実施形態における吸収性物品（生理用ナプキン１Ａ）について、図面を参照しながら詳細に説明する。なお、上述の生理用ナプキン１と異なる構成以外の構成は、基本的に上述の生理用ナプキン１と同様であるため、説明を省略する。
【００９５】
本発明の別の実施形態における生理用ナプキン１Ａは、図６および図７に示すように、機能性部材２１Ａと吸収体４Ａの長手方向ＤＬの長さがそれぞれ短く形成されて、機能性部材２１Ａと吸収体４Ａが厚さ方向ＤＴに重ならないように配置されている。すなわち、生理用ナプキン１Ａは、上述の生理用ナプキン１のような重複部４０を有していない。
【００９６】
生理用ナプキン１Aは、展開した状態の肌対向面ＳＦにおいて、生理用ナプキン１Ａが折り畳まれる際に形成された折り目（特に、図６における幅方向第１折り線ＬＬ１に沿って形成される折り目）を有しており、さらに、当該折り目を境にしてその両側に、上記温感剤の機能に対応した暖色系の色を呈する領域（すなわち、図６において、幅方向第１折り線ＬＬ１を境にして前方側ＤＦに位置し且つ機能性部材２１Ａの暖色系の色が視認し得る機能領域２０Ａ）と、その他の色を呈する領域（すなわち、図６において、幅方向第１折り線ＬＬ１を境にして後方側ＤＢに位置する吸収領域３０Ａ）と、を有している。なお、この「その他の色を呈する領域」は、特に着色されておらず、通常、白色系の色を呈している。
これにより、生理用ナプキン１Ａを折り畳んでなる個包装体は、上記各領域の境界が折り目によって視認しやすくなっているため、使用者が、折り畳まれた生理用ナプキン１Ａを展開したときに、上記温感剤の機能に対応した暖色系の色をより明確に認識することができる。
さらに、この個包装体は、上記温感剤の機能に対応した暖色系の色を呈する領域が、その他の色を呈する領域の平面視面積よりも大きい平面視面積を有しているため、使用者が、折り畳まれた生理用ナプキン１Ａを展開したときに、上記温感剤の機能に対応した暖色系の色をより明確かつ確実に認識することができる。
【００９７】
また、生理用ナプキン１Ａにおいては、機能性部材２１Ａが、図７に示すように、吸収領域３０Ａの吸収体４Ａよりも小さい厚みを有している。このため、生理用ナプキン１Ａは、展開した状態において、上記機能性部材２１Ａを含む部分（すなわち、第１表面対応部分）の厚みと、当該部分に隣接する部分の厚みとが異なっている（より具体的には、上記機能性部材２１Ａを含む部分の厚みが、当該部分に隣接する部分の厚みよりも小さくなっている）。
このように、生理用ナプキン１Ａの第１表面対応部分の厚みと、当該第１表面対応部分に隣接する部分の厚みとが異なっていると、これら各部分の境界が厚み差に基づく立体的視覚差や質感の差異によって視認しやすくなるため、使用者が、折り畳まれた生理用ナプキン１Ａを展開したときに、上記温感剤の機能に対応した暖色系の色をより明確に認識することができる。なお、生理用ナプキン１Ａがこのような厚み差を有していると、その剛性差によって、折り畳まれた生理用ナプキン１Ａを展開しやすいという利点もある。
【００９８】
本発明の個包装体における吸収性物品は、上述の各実施形態の生理用ナプキンに限定されず、パンティーライナー、失禁パッド、母乳パッド、使い捨ておむつなどの様々な吸収性物品に適用することができる。
また、本発明の個包装体は、上述した各実施形態等に制限されることなく、本発明の目的、趣旨を逸脱しない範囲内において、適宜組み合わせや代替、変更等が可能である。なお、本明細書において、「第１」、「第２」等の序数は、当該序数が付された事項を区別するためのものであり、各事項の順序や優先度、重要度等を意味するものではない。
【符号の説明】
【００９９】
１    生理用ナプキン（吸収性物品）
２    表面シート
３    裏面シート
４    吸収体
５    サイドシート
６    フラップ部
７    着衣固定用粘着部
７１  フラップ部固定用粘着部
７２  前方側第１粘着部
７３  前方側第２粘着部
１０  個包装体
１１  包装材
１２  リードテープ
２０  機能領域
２１  機能性部材
３０  吸収領域
４０  重複部
【図１】
2020141874.tif 000003
【図２】
2020141874.tif 000004
【図３】
2020141874.tif 000005
【図４】
2020141874.tif 000006
【図５】
2020141874.tif 000007
【図６】
2020141874.tif 000008
【図７】
2020141874.tif 000009